(57)【要約】【課題】床面に付着した強固な汚れに対して、ブラシの回転と共に、スチームを噴射しながら当該汚れを浮かせてブラシでこすり落とす床面の磨き上げの向上を達成したポリッシャーを提供する。【解決手段】ポリッシャー本体内の駆動モーター４により回転する回転軸２に取り付け自在なブラシ２１や回転体２０が、ポリッシャー本体１の下面から突出し、ポリッシャー本体１を移動する支持杆１２が取り付けられている。ポリッシャー本体１の内部に、タンク３とヒーター部７が連結して取り付けられ、タンク３内の水ｗがポンプ６により送られヒーター部３内で気化されたスチームｓが、ポリッシャー本体１の下部から吹き出し自在である。吹出し部材は、複数の吹出し口が設けられ、吹出し口がポリッシャー本体の前方において下向きとなる配置で取り付けられている。【選択図】　　　　　図３
0003098613.tif 000002
【実用新案登録請求の範囲】
【請求項１】
ポリッシャー本体の内部に設置された駆動モーターにより回転する回転軸に取り付け自在なブラシ又は回転体が、当該ポリッシャー本体の下面から突出して取り付けられ、当該ポリッシャー本体を移動する支持杆がポリッシャー本体の外周に取り付けられて成るポリッシャーにおいて、
ポリッシャー本体の内部に、タンクとヒーター部が連結して取り付けられ、前記タンク内の水が搬送されヒーター部内で気化生成されたスチームが、ポリッシャー本体の下部から吹き出し自在に構成されていることを特徴とするポリッシャー。
【請求項２】
タンクとヒーター部との間にポンプが介在されており、前記ポンプによりタンク内の水がパイプを通じてヒーター部に搬送され、そのヒーター部で気化生成された所定量のスチームが、ポリッシャー本体の下部から吹き出し自在に構成されていることを特徴とする請求項１に記載したポリッシャー。
【請求項３】
ポリッシャー本体は、上蓋体と下蓋体とで覆われ、前記上蓋体の内部空間にタンクが取り付けられており、前記下蓋体には、前記タンクの滴下部と連結する水受部と、その水受部に接続されたヒーター部と、同ヒーター部で加熱され気化生成されたスチームを誘導する終端パイプに接続され前記スチームを吹き出す吹出し部材とが取り付けられていることを特徴とする請求項１又は２に記載したポリッシャー。
【請求項４】
吹出し部材は、複数の吹出し口が設けられており、前記吹出し口がポリッシャー本体の前方において下向きとなる配置で、当該吹出し部材がポリッシャー本体の前方下部に取り付けられていることを特徴とする請求項３に記載したポリッシャー。
【考案の詳細な説明】
【０００１】
【考案の属する技術分野】
本考案は、家庭での使用に適したポリッシャーに関し、さらに言えば、ブラシの回転と共に、先端からスチームを吹き出しつつ汚れを浮かせながら床面を清掃等するのに適したポリッシャーの技術分野に属するものである。
【０００２】
【従来の技術】
従来、ポリッシャー本体の内部に設置された駆動モーターにより回転する回転軸に固定されたブラシが、当該ポリッシャー本体の下面から突出して取り付けられ、当該ポリッシャー本体を移動する支持杆がポリッシャー本体の外周に取り付けられた構造のポリッシャーは公知に属する。
【０００３】
【考案が解決しようとする課題】
従来のポリッシャーは、先端の回転体に取り付けられたブラシを回転することにより床面を磨くので、汚れを落とすのに一定の効果は有する。
【０００４】
しかしながら、汚れが床面に強固に付着しているような場合には、なかなかその汚れを除去しにくく、床面の磨き上げにも限度がある。
【０００５】
したがって、本考案の目的は、かかる点に着目し、床面に付着した強固な汚れに対して、ブラシの回転と共に、スチーム（蒸気）を先端から吹き出しながら当該汚れを浮かせてブラシでこすり落とすことができ、床面の磨き上げを向上するポリッシャーを提供することにある。
【０００６】
【課題を解決するための手段】
前記課題を解決するための手段として、請求項１記載の考案のポリッシャーは、ポリッシャー本体１の内部に設置された駆動モーター４により回転する回転軸２に取り付け自在なブラシ２１又は回転体２０が、当該ポリッシャー本体１の下面から突出して取り付けられ、当該ポリッシャー本体１を移動する支持杆１２がポリッシャー本体１の外周に取り付けられて成るポリッシャーにおいて、ポリッシャー本体１の内部に、タンク３とヒーター部７が連結して取り付けられ、前記タンク３内の水ｗが搬送されヒーター部３内で気化生成されたスチームｓが、ポリッシャー本体１の下部から吹き出し自在に構成されていることを特徴とする。
【０００７】
請求項２記載のポリッシャーは、前記タンク３とヒーター部７との間にポンプ６が介在されており、前記ポンプ６によりタンク３内の水ｗがパイプ９０、９１を通じてヒーター部７に搬送され、そのヒーター部７で気化生成された所定量のスチームｓが、ポリッシャー本体１の下部から吹き出し自在に構成されていることを特徴とする。
【０００８】
請求項３記載のポリッシャーは、前記ポリッシャー本体１が、上蓋体１０と下蓋体１１とで覆われ、前記上蓋体１０の内部空間にタンク３が取り付けられており、前記下蓋体１１には、前記タンク３の滴下部３０と連結する水受部５と、その水受部５に接続されたヒーター部７と、同ヒーター部７で加熱され気化生成されたスチームｓを誘導する終端パイプ９３に接続され前記スチームｓを吹き出す吹出し部材８とが取り付けられていることを特徴とする。
【０００９】
請求項４記載のポリッシャーは、前記吹出し部材８に、複数の吹出し口８０…が設けられており、前記吹出し口８０がポリッシャー本体１の前方において下向きとなる配置で、当該吹出し部材８がポリッシャー本体１の前方下部に取り付けられていることを特徴とする。
【００１０】
【考案の実施の形態】
請求項１〜４記載の考案のポリッシャーに関する実施形態を、以下図面にしたがって説明する。
【００１１】
本実施形態のポリッシャーの基本構造は、請求項１に記載のように、ポリッシャー本体１の内部に設置された駆動モーター４により回転する左右２個の回転軸２、２に取り付けられたブラシ２１、２１又は回転体２０、２０が、当該ポリッシャー本体１の下面から突出されている。また、当該ポリッシャー本体１を前後左右の方向へ移動する支持杆１２が、ポリッシャー本体１の外周に取り付けられている（図１〜図３参照）。
【００１２】
支持杆１２部分は、図７に示したように、上部にハンドル１３を有し、下部に基部カバー１８が取り付けられている。前記ハンドル１３には、駆動モーター４及びポンプ６と電気的に接続された作動スイッチ１４が組み込まれていると共に、上部コードフック１６が設置されている。基部カバー１８には、ポンプ６と電気的に接続されたスチーム量調節ダイヤル１５、及び電源コード１７が組み込まれている。さらに、当該支持杆１２の略中央部分に、下部コードフック１６が設置されており、上下のコードフック１６、１６に電源コード１７の巻き付けが可能となっている。
【００１３】
ポリッシャー本体１の構造を説明する。
【００１４】
このポリッシャー本体１の外側は、内部が中空状のお碗型の上蓋体１０とトレー型の下蓋体１１とで覆われている。前記上蓋体１０の内部空間に所定量の水（図示例では４５０ｍｌ）を収容可能なタンク３が着脱自在に取り付けられている。上蓋体１０の上部には、前記タンク３に水を注入可能な開口状の注ぎ口１０ｂが形成されており、パッキン１０ｃを介してタンクキャップ１９が着脱自在に被蓋されている（図３参照）。さらに、上蓋体１０の上部には、スチームｓの吹出し使用中を知らせるスチームランプ１０ｅと、ブラシ２１による回転清掃中を知らせる回転ランプ１０ｄが取り付けられていると共に、前記支持杆１２（基部カバー１８）の当接保護部材１０ａが取り付けられている。
【００１５】
ポリッシャー本体１の下蓋体１１には、９０００回転／分の駆動モーター４が設置されており、この駆動モーター４により回転する一対の回転軸２、２に対し、円盤状のブラシ２１、２１又は回転体２０、２０が当該下蓋体１１の下面から下方に突出して取り付けられている（図１、図３参照）。ブラシ２１は、単独使用又はスチームｓとの併用使用に供され、回転体２０は表面に面ファスナー２４を設置してパッド２２を取り付けて好適に使用される（図５参照）。
【００１６】
下蓋体１１には、タンク３の下底部に設けられた滴下部３０と連結する水受部５と、タンク３内の水ｗを吸い上げ後述のヒーター部７へ当該水ｗを搬送するポンプ６とが、パイプ９０により連結して設置されている（請求項２参照）。また、前記ポンプ６とサーモスタット付ヒーター部７とが、パイプ９１により送水可能に連結・設置されている。さらに、前記ヒーター部７と吹出し部材８とが、終端パイプ９３により送水状態を維持して連結・設置されている。但し、前記ポンプ６を省略して水受部５とヒーター部７とをパイプを介して直接接続する形態も実施可能である（図示は省略）。パイプ９１、９３の各基端は、止め金具９６により強固に固定されている。
【００１７】
なお、パイプ９１は三叉状に形成され、分岐されたパイプ９２は、下蓋体１１に穿設された調節口８１に臨み、先端に安全弁９５が取り付けられ（図２、図３、図５参照）、ポンプ６で調節され不要となった水ｗが、当該パイプ９１の分岐パイプ９２から外部に放出され、スチームｓの調整が図られている。
【００１８】
前記吹出し部材８には、請求項４記載のように、複数の吹出し口８０…が設けられている（図５）。この吹出し部材８は、図３に示したように、上側のブレード状吹出し部８ａと下側のブレード状吹出し部８ｂが合体して形成され、下蓋体１１の前方裏面に形成のブレード収納部８ｃに収納されている。ブレード収納部８ｃにはパイプ挿込み口８ｄが形成されており、このパイプ挿込み口８ｄに前記終端パイプ９３の先端が止め金９６を介して接続されている。かくして、吹出し口８０…は、ポリッシャー本体１の前方において下向きとなる配置で、当該吹出し部材８がポリッシャー本体１の前方下部に取り付けられている。
【００１９】
以下、スチームｓを吹き出しながらのポリッシャーの使用手順を説明する。
【００２０】
まず、ポリッシャー本体１の裏面の回転軸２、２に対し、予めブラシ２１、２１を取り付けておく。
【００２１】
上蓋体１０のタンクキャップ１９を外して、じょうご（図示は省略）を挿し込むなどして、水ｗをタンク３内にゆっくり溢れないように入れる。水ｗを入れ終ったらタンクキャップ１９をしっかり閉める。
【００２２】
次に、スチーム量調節ダイヤル１５を、スチーム量の最小となる位置に合せ、スイッチ１４がＯＦＦ状態になっていることを確認する。電源コード１７は上下のコードフック１６、１６に適度に引っ掛け、電源プラグをコンセントに挿し込む。
【００２３】
スイッチ１４を、「回転＋スチーム作動」状態にする。すると、スチームランプ１０ｅと回転ランプ１０ｄが点灯し、ヒーター部７が発熱して（１１００ｗ）、温度が１１０度まで上昇する。そして、ヒーター部７のサーモスタットが稼動しつつ、ポンプ６が作動し、タンク３内の水ｗを吸い上げ、その水ｗは水受部５へ一旦溜まった後パイプ９０を通じて当該ポンプ６からパイプ９１を通じてヒーター部７に送られる。そのヒーター部７で気化生成された所定量のスチームｓが吹出し部材８の複数の吹出し口８０…から吹き出す（図６参照）。スチーム量の調節は、スチーム量調節ダイヤル１５を回すことで行うことができる。
【００２４】
したがって、床面に付着した強固な汚れは、吹き付けられたスチームｓによって浮かび上がり、左右に回転するブラシ２１、２１でこすり落として、床面をきれいに磨き上げることができる。
【００２５】
次に、スチームｓを吹き出さないで回転体２０を回転しながらのカラぶき・ワックス塗り・ワックス磨き・水ぶき等の作業手順を示す。
【００２６】
前記ポリッシャー本体１の裏面に取り付けたブラシ２１、２１を取り外し、回転軸２、２に回転体２０、２０を取り付け、その各回転体２０にパッド２２等を取り付ける。
【００２７】
そして、前記スイッチ１４を、「回転のみ作動」状態にする。すると、回転ランプ１０ｄのみが点灯し、スチームｓは吹き出さないで回転体２０が回転する。かくして、パッド２２等の回転によって、カラぶき・ワックス塗り・ワックス磨き・水ぶき等の作業を難なく行うことができる。
【００２８】
なお、本ポリッシャーの不使用時は、専用トレーａに載置した置台ｂの上にポリッシャーを載置し、部屋の片隅等に安全に収納しておくことができる（図４）。図示を省略したパッド等はトレーａの中に収納しておくことができる。
【００２９】
【考案の効果】
請求項１記載の考案のポリッシャーは、ポリッシャー本体の内部にタンクとヒーター部が連結して取り付けられ、タンク内の水がヒーター部内で気化され生成さたスチームが、ポリッシャー本体の下部から吹き出すパワフルなスチーム発生機能を有するので、タイルや木製の床面にこびり付いた頑固な汚れをチームを吹き出しつつ浮かせながらブラシで除去でき、床面等の磨き仕上げ・清掃の向上に寄与する。また、本ポリッシャーは簡便な構造で製作でき、コスト面での低減化にも貢献する。
【００３０】
請求項２記載の考案のポリッシャーは、タンクとヒーター部との間にポンプが介在されているので、タンク内の水をヒーター部に円滑に送り込んでスチームの発生に支障がない上、間断なく所望量のスチームを吹き出せる利便性にも優れている。
【００３１】
請求項３記載の考案のポリッシャーは、上蓋体の内部空間にタンクが取り付けられ、下蓋体にはタンクと連結する水受部及びヒーター部と、同ヒーター部で気化されたスチームを吹き出す吹出し部材が取り付けられているので、安全かつ確実にポリッシャー本体下端からスチーム（蒸気）を吹き出し、頑固な汚れの除去が達成される。
【００３２】
請求項４記載の考案のポリッシャーは、吹出し部材には複数の吹出し口が設けられ、当該吹出し部材がポリッシャー本体の前方下部に取り付けられ、ヒーター部で気化されたスチームが下向きに限定して吹き出すので、使用上の安全性も図られている。
【図面の簡単な説明】
【図１】ポリッシャーの全体構造を示した斜視図である。
【図２】ポリッシャー本体の内部構造を示した斜視図である。
【図３】ポリッシャー本体の分解図である。
【図４】ポリッシャー本体の分解図と収納要領を示した正面図である。
【図５】ポリッシャー本体の裏面図である。
【図６】スチームの吹き出し状態を示した説明図である。
【図７】支持杆の構造を示した分解斜視図である。
【符号の説明】
１　　　　ポリッシャー本体
１０　　　　上蓋体
１１　　　　下蓋体
１２　　　　支持杆
２　　　　回転軸
２０　　　　回転体
２１　　　　ブラシ
３　　　　　　タンク
３０　　　　滴下部
４　　　駆動モーター
５　　　　　　水受部
６　　　　ポンプ
７　　　　　　ヒーター部
８　　　　　　吹出し部材
８０　　　　吹出し口
９１　　　　パイプ
９３　　　　終端パイプ
ｓ　　　　　　スチーム
ｗ　　　　　　水
【図１】
0003098613.tif 000003
【図２】
0003098613.tif 000004
【図３】
0003098613.tif 000005
【図４】
0003098613.tif 000006
【図５】
0003098613.tif 000007
【図６】
0003098613.tif 000008
【図７】
0003098613.tif 000009